(57)【要約】【課題】操作釦を照らすランプを取り付けた回路基板がフロントパネルに直交した電気機器にて、操作釦を正確に照射する。【解決手段】電気機器のフロントパネル２上に、操作釦３を出没自在に設け、該操作釦３はフロントパネル２の内側に配備された回路基板４上のランプ５により照射される。回路基板４はフロントパネル２に略直交し、ランプ５と操作釦３との間には、回路基板４上のスイッチＳＷを押圧操作する中間部材６が設けられ、該中間部材６にはランプ５の光を操作釦３に向けて反射する斜面６３が設けられている。【選択図】    図３
2004349089.tif 000002
【特許請求の範囲】
【請求項１】
フロントパネル（２）上に、操作釦（３）を出没自在に設け、該操作釦（３）はフロントパネル（２）の内側に配備された回路基板（４）上のランプ（５）により照射される電気機器に於いて、
回路基板（４）はフロントパネル（２）に略直交し、ランプ（５）と操作釦（３）との間には、回路基板（４）上のスイッチ（ＳＷ）を押圧操作する透光性の中間部材（６）が設けられ、該中間部材（６）にはランプ（５）の光を操作釦（３）に向けて反射する斜面（６３）が設けられたことを特徴とする電気機器。
【請求項２】
操作釦（３）が中間部材（６）を介してスイッチ（ＳＷ）を押し込んだ第１の位置にて、斜面（６３）はランプ（５）の光路上に位置し、中間部材（６）がスイッチ（ＳＷ）から離れた第２の位置にて斜面（６３）はランプ（５）の光路から外れる請求項１に記載の電気機器。
【発明の詳細な説明】
【０００１】
【発明の属する技術分野】
本発明は、操作釦が点灯する電気機器に関する。
【０００２】
【従来の技術】
一般家庭に用いられる電気機器には、電源がＯＮになっているときは、操作釦を点灯させて、その旨を報知する機能を設けたものが多い。図５は、そのような操作釦（３）を具えた電気機器の断面側面図である（例えば、特許文献１参照）。
キャビネット（１）のフロントパネル（２）内には、該フロントパネル（２）に対向して回路基板（４）が設けられ、該回路基板（４）上にランプ（５）が設けられている。フロントパネル（２）には、少なくとも前面が透明な操作釦（３）が出没自在に嵌まり、前記ランプ（５）は操作釦（３）内に位置する。操作釦（３）からは突片（３５）が突出し、該突片（３５）は回路基板（４）上の電源切換え用のスイッチ（ＳＷ）に対向する。
操作釦（３）が押し込まれない状態では、突片（３５）がスイッチ（ＳＷ）から離れている。電源はＯＦＦであり、ランプ（５）は消灯している。
操作釦（３）が押し込まれると、突片（３５）がスイッチ（ＳＷ）を押し込む。ランプ（５）が点灯して、操作釦（３）を照らす。使用者には、操作釦（３）の前面が光って見え、電源がＯＮになっていることが判る。即ち、操作釦（３）が電源のＯＮ、ＯＦＦを示すインジケータとして機能する。
【０００３】
【特許文献１】
実開平６−６２４３８号（図１）
【０００４】
【発明が解決しようとする課題】
図５に示す電気機器では、回路基板（４）がフロントパネル（２）と略平行である。しかし、電気機器によっては、回路基板（４）をフロントパネル（２）に直交して配備せざるを得ないものがあり、かかる電気機器には、図５の構造は利用できない。
本発明の目的は、操作釦を照らすランプを取り付けた回路基板がフロントパネルに直交した電気機器にて、操作釦を正確に照射することにある。
【０００５】
【課題を解決する為の手段】
回路基板（４）はフロントパネル（２）に略直交し、ランプ（５）と操作釦（３）との間には、回路基板（４）上のスイッチ（ＳＷ）を押圧操作する透光性の中間部材（６）が設けられ、該中間部材（６）にはランプ（５）の光を操作釦（３）に向けて反射する斜面（６３）が設けられている。
【０００６】
【作用及び効果】
中間部材（６）の斜面（６３）によって、ランプ（５）からの光は、操作釦（３）に向けて反射される。これにより、操作釦（３）を照らすランプ（５）を取り付けた回路基板（４）がフロントパネル（２）に直交した電気機器にあっても、操作釦（３）は正確に照射される。
また、中間部材（６）を設けたことにより、フロントパネル（２）に直交した回路基板（４）上にランプ（５）を設けても、操作釦（３）を照射できるので、簡素な構成で目的を達成でき、コストアップを防止できる。
【０００７】
【発明の実施の形態】
以下、本発明の一例を図を用いて詳述する。
本例では、電気機器としてプリンタを示し、図１は、その斜視図、図２は、図１の平面図であって前面を左方に向けている。これは、キャビネット（１）の前面にフロントパネル（２）を設け、該フロントパネル（２）の下側に給紙用のトレイ（１０）を、側部に夫々異なるサイズのメモリカードが挿入されるスロット（１１）（１２）を夫々設けている。フロントパネル（２）上にて該スロット（１１）（１２）の上側に、電源のＯＮ、ＯＦＦ切換え時に操作される操作釦（３）を配備している。フロントパネル（２）の上端部に位置するプリント釦（１４）を押すと、トレイ（１０）から給紙され、メモリカード内の画像が印刷される。印刷された画像は、キャビネット（１）の後端部から出力される。
キャビネット（１）内部には、フロントパネル（２）の幅方向に延びた軸を中心に回転するプラテンと呼ばれるローラ（図示せず）が配備されている。従って、給電用の回路基板をフロントパネル（２）に対向して配備せんとすると、トレイ（１０）及びプラテンの邪魔になる。従って、図２に示すように、回路基板（４）をキャビネット（１）の側方にて、フロントパネル（２）に直交して配備し、プラテンを避けている。
【０００８】
回路基板（４）には、電源切換え用のスイッチ（ＳＷ）が設けられ、前記操作釦（３）は中間部材（６）を介して、スイッチ（ＳＷ）に繋がる。スイッチ（ＳＷ）はアンビル（７）が押し込まれて、ＯＮとなる周知のタイプである。回路基板（４）上にて、中間部材（６）の側方には、ＬＥＤからなるランプ（５）が設けられている。スイッチ（ＳＷ）のアンビル（７）には押しバネ（７０）が巻き付けられ、操作釦（３）を押しバネ（７０）に抗して押すと、アンビル（７）が押し込まれて電源がＯＮになる。図２は、操作釦（３）が押し込まれた状態を示し、アンビル（７）は押し込まれた状態に保持される。電源がＯＮになると、ランプ（５）が点灯する。
再度操作釦（３）を押し込むと、周知の如く、アンビル（７）が前方に飛び出し、押しバネ（７０）が戻され、中間部材（６）及び操作釦（３）が前方に飛び出す。電源がＯＦＦになり、ランプ（５）が消灯する。
【０００９】
図３は、操作釦（３）、中間部材（６）及びスイッチ（ＳＷ）の分解斜視図である。操作釦（３）は後面が開口し、中空に形成されている。中間部材（６）は、透明な合成樹脂から形成され、操作釦（３）の中空部に嵌まる導光部（６０）と、導光部（６０）から側方に突出した腕片（６１）（６１）と、スイッチ（ＳＷ）のアンビル（７）に嵌まる嵌合片（６２）と、導光部（６０）と嵌合片（６２）との間に位置し、側方から入射する光を導光部（６０）に向けて反射する斜面（６３）を具えている。導光部（６０）の先端は、操作釦（３）の前面に開設された開口（３０）に嵌まり、腕片（６１）（６１）は止めビス（３１）（３１）にて操作釦（３）の周縁部に取り付けられる。
図２に示す操作釦（３）が押し込まれた状態にて、斜面（６３）はランプ（５）からの光路上に位置して、ランプ（５）の光を導光部（６０）に向けて反射する。該反射光は、導光部（６０）の先端から出射され、使用者には操作釦（３）の前面が光って見える。これにより、電源がＯＮになっていることが判る。即ち、操作釦（３）が電源のＯＮ、ＯＦＦを示すインジケータとして機能する。
【００１０】
図２に示す操作釦（３）が押し込まれた状態から、再度操作釦（３）を押し込むと、図４に示すように、中間部材（６）及び操作釦（３）が前方に飛び出し、元の位置に復帰する。電源はＯＦＦとなり、ランプ（５）は消灯し、操作釦（３）の前面は暗くなる。
このとき、図４に示すように、斜面（６３）がランプ（５）の光路から外れると、ランプ（５）からの光を完全に遮断することができる。即ち、ランプ（５）への通電を遮断しても、ランプ（５）は即座に消灯するとは限らず、何らかの原因でランプ（５）が短い時間だけ光り続けることがある。このとき、斜面（６３）がランプ（５）の光路から外れると、たとえランプ（５）が光り続けても、該光が操作釦（３）を照らすことはない。
【００１１】
中間部材（６）の斜面（６３）によって、ランプ（５）からの光は、操作釦（３）に向けて反射される。これにより、操作釦（３）を照らすランプ（５）を取り付けた回路基板（４）がフロントパネル（２）に直交した電気機器にあっても、操作釦（３）は正確に照射される。また、中間部材（６）を設けたことにより、フロントパネル（２）に直交した回路基板（４）上にランプ（５）を設けても、操作釦（３）を照射できるので、簡素な構成で目的を達成でき、コストアップを防止できる。
本例では、電気機器として、メモリカードの画像を印刷するプリンタを例示したが、操作釦（３）を具えた電気機器の全般に、本願の技術的思想は適用可能である。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】電気機器の斜視図である。
【図２】図１の平面図であって前面を左方に向けている。
【図３】操作釦、中間部材及びスイッチの分解斜視図である。
【図４】操作釦が前方に突出した状態を示す平面図である。
【図５】従来の操作釦を具えた電気機器の断面側面図である。
【符号の説明】
（２）    フロントパネル
（３）    操作釦
（４）    回路基板
（５）    ランプ
（６）    中間部材
（６３）    斜面
【図１】
2004349089.tif 000003
【図２】
2004349089.tif 000004
【図３】
2004349089.tif 000005
【図４】
2004349089.tif 000006
【図５】
2004349089.tif 000007